(57)【要約】【課題】椅子における背の高い背もたれ２を上下２つの部材を連結した構成とするときの強度を大きくする。【解決手段】椅子の背もたれ２は腰部アウター部材１１と、腰部アウター部材１１の前面に重なるように配置された背板１２と、腰アウター部材１１の前面上部と背板１２の背面下部との重なり部に介挿される補強部材２１とにより構成され、腰部アウター部材１１と背板１２とは補強部材２１とそれぞれ連結固定されている【選択図】図７
2014097149.tif 000002
【特許請求の範囲】
【請求項１】
座と、背もたれとが備えられ、
前記背もたれは腰部アウター部材と、該腰部アウター部材の前面に重なるように配置された背板と、前記腰アウター部材の前面上部と前記背板の背面下部との重なり部に介挿される補強部材とにより構成され、
前記腰部アウター部材と前記背板とは前記補強部材とそれぞれ連結固定されている椅子。
【請求項２】
前記補強部材は椅子の左右方向に延びた帯び状に形成されている、請求項１に記載した椅子。
【請求項３】
前記座または背もたれの下部には、左右両側にループ状肘フレームが取付けられ、前記背もたれの左右両側端と前記補強部材の左右両端部とが前記各ループ状肘フレームに固着されている、請求項２に記載した椅子。
【請求項４】
前記腰部アウター部材と前記背板との両背面が実質的に同一面に並び、少なくとも前記背板の前面側にクッション体を有し、前記クッション体の前面と前記腰部アウター部材及び前記背板の背面部を袋状の表装体にて一体的に覆った、
請求項１乃至３のいずれかに記載した椅子。
【発明の詳細な説明】
【技術分野】
【０００１】
本願発明は、事務用または役員用などの椅子の背もたれの構成に関するものである。
【背景技術】
【０００２】
椅子において、背もたれを、アウター部材とインナー部材とを備えた構成にしてインナー部材をアウター部材に取付け、インナー部材の前面にクッション体を張ることが行われている。
【０００３】
その従来例として、例えば、特許文献１では、着座した人の腰を包むように平面視で前向き凹状に形成された腰部アウター部材とこの腰部アウター部材の前面に取付けられた背もたれ用インナー部材とを備え、背もたれ用インナー部材のうち腰部アウター部材から上方に露出した部分の背面には背カバー（背アウター部材）を取付け、背もたれ用インナー部材の前面にクッション体を取付けることが開示されている。
【先行技術文献】
【特許文献】
【０００４】
【特許文献１】特開２００２−１０２００９号公報
【発明の概要】
【発明が解決しようとする課題】
【０００５】
ところで、特許文献１では、腰部アウター部材の前面上部に上向き鉤型係合爪が左右中央部の１カ所とそれより下方の左右両側の２カ所に形成されている一方、背もたれ用インナー部材の下部で腰部アウター部材と重なる部分の背面には、腰部アウター部材の上記３箇所の上向き鉤型係合爪にそれぞれ上方から嵌め入れる下向き鉤型係合爪が形成されている。また、腰部アウター部材の上端縁と背もたれ用インナー部材との間には上向きに開口した隙間が空いており、この隙間に背カバーの下端に形成された段違い部を差し込み、背カバーの左右両端寄り部位に形成された前向き膨出部が背もたれ用インナー部材の受け爪に嵌まるように構成されている。
【０００６】
背もたれに着座した人が背もたれに寄り掛かった場合に座受体等に設けられたばね手段に抗して背もたれが後傾するようなロッキング椅子では、背もたれには後傾方向の荷重が作用する。特に役員用の椅子等のように背もたれの高さ寸法が大きいものでは、背もたれ用インナー部材の上部側により大きな後傾力が作用するため、腰部アウター部材と背もたれ用インナー部材の上記取付け部（上向き鉤型係合爪と下向き鉤型係合爪との係合箇所）が大きな外力に耐えるようにするには、その部分の強度を高く設定する必要があり、そうすると、上記取付け部の形状（特に背もたれの厚さ方向の寸法）が大きくなってしまい。椅子のデザイン上あまり好ましくなくなる。なお、ロッキング（後傾動）しない椅子であっても、人が背もたれに寄り掛かる場合に、腰部アウター部材と背もたれ用インナー部材の上記取付け部の強度を大きくしなければならないことは同様である。
【０００７】
また、背もたれ用インナー部材と腰部アウター部材とを剛性の高い合成樹脂やアルミなどのダイキャストにより一体的に形成するとすれば、その形成のための金型が大きくなり、製造コストが大幅に高くなると共に、デザインの変更が困難になるという問題があった。
【０００８】
本願発明はこのような現状に鑑み成されたものであり、背もたれ用インナー部材（背板）と腰部アウター部材との連結箇所の強度を大きくすることができると共に、背もたれ全体の厚さをなるべく薄くした状態で、デザインの優れている椅子を提供することを目的とするものである。また、本願では多くの改良点を開示しており、これらの改良点を提供することも目的と成り得る。
【課題を解決するための手段】
【０００９】
本願発明は各請求項の構成を含んでいる。このうち請求項１の発明は上位概念を成すものであり、座と、背もたれとが備えられ、前記背もたれは腰部アウター部材と、該腰部アウター部材の前面に重なるように配置された背板と、前記腰アウター部材の前面上部と前記背板の背面下部との重なり部に介挿される補強部材とにより構成され、前記腰部アウター部材と前記背板とは前記補強部材とそれぞれ連結固定されているものである。
【００１０】
請求項２の発明は請求項１を具体化したもので、請求項１において、前記補強部材は椅子の左右方向に延びた帯び状に形成されているものである。
【００１１】
請求項３の発明は請求項２を具体化したもので、前記座または背もたれの下部には、左右両側にループ状肘フレームが取付けられ、前記背もたれの左右両側端と前記補強部材の左右両端部とが前記各ループ状肘フレームに固着されているものである。
【００１２】
請求項４の発明は請求項１乃至３のいずれかの椅子を好適に具体化したもので、前記腰部アウター部材と前記背板との両背面が実質的に同一面に並び、少なくとも前記背板の前面側にクッション体を有し、前記クッション体の前面と前記腰部アウター部材及び前記背板の背面部を袋状の表装体にて一体的に覆ったものである。
【発明の効果】
【００１３】
本願発明は、背もたれは腰部アウター部材と、該腰部アウター部材の前面に重なるように配置された背板と、前記腰アウター部材の前面上部と前記背板の背面下部との重なり部に介挿される補強部材とにより構成されている。したがって、特にロッキング椅子に適用しても、背もたれの強度を高めることができる。そして、前記腰部アウター部材と前記背板とは前記補強部材とそれぞれ連結固定されるので、連結作業も簡単となる。
【００１４】
請求項２の発明によれば、補強部材は椅子の左右方向に延びた帯び状に形成されているものであるから、補強部材を板状に形成すれば、従来の、腰部アウター部材及び背板にそれぞれ形成された係合爪どうしの係合に比べて、腰部アウター部材と背板との連結部分の厚さを薄くできるものでありながら、連結部の強度（背板への後傾方向の抵抗力）を大きくすることができる。
【００１５】
請求項３の発明によれば、座または背もたれの下部には、左右両側にループ状肘フレームが取付けられ、前記背もたれの左右両側端と前記補強部材の左右両端部とが前記各ループ状肘フレームに固着されているものである。したがって、ループ状肘フレームの取付け箇所が複数箇所となって、取付け強度を高めることができる。
【００１６】
本願の請求項４の発明では、腰部アウター部材と前記背板との両背面が実質的に同一面に並び、少なくとも前記背板の前面側にクッション体を有し、前記クッション体の前面と前記腰部アウター部材及び前記背板の背面部を袋状の表装体にて一体的に覆ったものである。従来の背もたれがアウター部材とインナー部材とクッション体のような３枚構成に比べて、部材数を少なくすることができるものでありながら、シャープなデザインの椅子を提供することができる。
【図面の簡単な説明】
【００１７】
【図１】（Ａ）は第１実施形態に係る椅子の正面図、（Ｂ）は右側面図、（Ｃ）は平面図である。
【図２】椅子全体の右側下方からの斜視図である。
【図３】椅子の脚部及びクッション体を除去した右側下方からの斜視図である。
【図４】支持機構部、腰部アウター部材、補強部材及び背板の分解斜視図である。
【図５】支持機構部、ループ状肘と半割り状態の腰部アウター部材及び背板の斜視図である。
【図６】支持機構部及び腰部アウター部材及び背板を前下方から見た斜視図である。
【図７】支持機構部と半割り状態の腰部アウター部材及び背板の一部断面側面図である。
【図８】支持機構部と、半割り状態の座及と腰部アウター部材及び背板等を示す上方から見た斜視図である。
【図９】（Ａ）は半割り状態で示す背板の第２実施形態の前面図、（Ｂ）は同じく背面図である。
【発明を実施するための形態】
【００１８】
次に、本願発明の実施形態を図面に基づいて説明する。まず、図１〜図８に示す第１実施形態から説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００１９】
［椅子の概略］
まず、椅子の概要を、主として図１〜図３に基づいて説明する。本実施形態は事務用等に多用されている回転椅子に適用しており、図１に示すように、椅子は、座１及び背もたれ２と、脚３とを備えている。
【００２０】
脚３は、脚柱としてのガスシリンダ４と、これを支えて放射状に延びる複数本の枝杆５とを備えており、各枝杆５の先端にはキャスタ６を取付けている。従って、本実施形態は座１及び背もたれ２の高さ調節できる回転椅子に適用されている。
【００２１】
ガスシリンダ４の上端には、座受け部材の一例としてのベース７が固定されている。例えば図１、図２  及び図８に示すように、ベース７の上に金属板製の中間金具（座受け金具）８が配置されており、この中間金具８に樹脂製の座アウター部材９が取り付けられている。
【００２２】
座１は、樹脂製の座アウター部材９とその上面に重ね配置した座クッション材１０とを有しており、座クッション材１０はクロス等の表皮材で上から覆われている。
【００２３】
図１及び図２に示すように、背もたれ２は樹脂製の腰部アウター部材１１と、同じく樹脂製の背板１２と、図示しない背クッション体が前面に張り付けられ、その後、後に詳述するように、袋状の表装体１３にてすっぽり覆われている。また、座１の左右両側にはループ状の肘１４が設けられている。
【００２４】
本実施形態では、ロッキング椅子（背もたれが後傾動する椅子）に適用されているが、ロッキングしない椅子に適用しても良いことはいうまでもない。
【００２５】
［支持機構部の概略］
本実施形態では、例えば図４、図６、図８に示すように、ベース７には背支持フレーム１５が後傾動自在に連結されていると共に、背支持フレーム１５に背もたれ２が取り付けられている。背支持フレーム１５は樹脂製又はアルミダイキャスト製であり、図６や図８に示すように、ベース７の後ろにおいて左右方向に広がる基部１５ａと、基部１５ａの左右両側部からベース７の外側位置で前向きに延びるアーム部１５ｂとを有しており、左右アーム部１５ｂの前端部が左右横長の第１軸１６（図６参照）でベース７に連結されている。従って、背もたれ２は第１軸１６の軸心回りに傾動する。
【００２６】
背支持フレーム１５における左右アーム部１５ｂの前部は左右内側に入り込んだクランク部（不図示）になっており、クランク部の基端部に第１軸１６が貫通している。また、左右クランク部の前端は、不図示の弾力調節ユニットのロッキングバネを押圧するための押圧部の一例として左右横長の押動軸（不図示）で一体に繋がっている。
【００２７】
既述のように、背支持フレーム１５は第１軸１６を中心にして後傾動する。そこで、ベース７の内部に弾力調節ユニットを設けて、背支持フレーム１５の後傾動に抵抗を付与している。なお、上記弾力調節ユニット及びロック用ガスシリンダは本願発明の主たる構成ではないので、詳細な説明は省略する。弾力調節ユニットは、ロッキングに対する抵抗の大きさを段階的または無段階に調節するためのものであり、ロック用ガスシリンダは背もたれ２を任意の後傾角度に保持し、またはロック解除するためのロック装置である。
【００２８】
本実施形態の椅子は、背もたれ２の後傾に連動して座１が後退しつつ後傾するシンクロタイプの椅子であり、中間金具８の前部を弾力調節ユニットの前部に後退動可能に連結し、中間金具８の後部は、背支持フレーム１５に上向き突設したブラケット部２０に左右横長の第２軸（不図示）で連結されている。また、中間金具８の前部は上向き移動不能に保持され、且つベース７に対して前後摺動可能に設けられている。このため、座１の前部を上に持ち上げても中間金具８がベース７から外れることはない。
【００２９】
記述したように、背もたれ２は腰部アウター部材１１と背板１２と帯状の補強部材２１とを有しており、腰部アウター部材１１は側面視略Ｌ字状に湾曲したシェル体である。腰部アウター部材１１の下端は前向きに突出する連結部１７が一体的に形成され、この連結部１７には前向きに突出する係合部１７ａが左右一対設けられ、この一対の係合部１７ａが背支持フレーム１５の後部下面の凹型被係合部１５ｃに嵌まり、左右及び前後方向の位置決めがなされる。連結部１７のボルト装着部１７ｂと背支持フレーム１５の後部のボルト装着部１５ｄとをボルト（不図示）止めする（図４〜図８参照）。但し、図５、図７、図８では、腰部アウター部材１１の左半分のみ示されている。
【００３０】
［腰部アウター部材及び背板とその連結構造］
腰部アウター部材１１の上部前面には、上下方向寸法Ｈ１の帯状の補強部材２１が上下方向にずれないように嵌まる凹所２２（上下方向寸法Ｈ１）を左右両側に伸びるように形成する（図５参照）。また、腰部アウター部材１１の前面には、凹所２２の下端側に複数（実施形態では、左右に２つ）の爪２２ａが突設されており（図４、図５参照）、これにより凹所２２に嵌まった補強部材２１の脱落を防止することができる。
【００３１】
補強部材２１の左右両側端部は一旦後側に屈曲させた屈曲部２１ａを形成したのち、屈曲部２１ａの後端から端部２１ｂを左右両側外側に延出する（図４参照）。腰部アウター部材１１の凹所２２より左右両側外側には、補強部材２１の屈曲部２１ａ及び端部２１ｂが前方から添え配置できるように、屈曲部２３ａ及び端部２３ｂが同様に形成されている（図４参照）。
【００３２】
補強部材２１の左右中央部位には、左右一対の雌ねじ部２４が形成されており、背板１２に形成されているねじ取付け穴２５を介して背板１２の前面側からねじ２６にて補強部材２１を連結固定する（図４参照）。他方、腰部アウター部材１１における両端部２３ｂに形成されているねじ取付け穴２７を介して腰部アウター部材１１の後面側からねじ２８にて補強部材２１を連結固定する（図２、図４、図５参照）。これらにより、前側の背板１２と後側の腰部アウター部材１１との前後重なり部に補強部材２１が間に介挿されて強固に連結固定される。
【００３３】
また、背板１２の下端に形成された前向き突条部２９が腰部アウター部材１１の下部寄り部位の前面に形成された段部３０に載置される。一方、補強部材２１より上方位置の背板１２の背面（後面）側に形成された段部３１には、下向き開口した位置決め穴３２が複数穿設されている（図７参照）。腰部アウター部材１１の上端には、上記各位置決め穴３２に嵌まる上向き突起３３（実施形態では計５箇所）が一体的に形成される（図４、図７等参照）。これらの嵌め合いにより、腰部アウター部材１１と背板１２とが位置ずれすることなくしっかりと連結固定され、さらに、腰部アウター部材１１及び背板１２の両背面が実質的に同一面に揃うように連結することができる（図２、図７等参照）。
【００３４】
ループ状の肘１４は、アルミダイキャスト製でループ状肘フレーム４０と、上カバー体４１と、前カバー体４２とを備えている。上カバー体４１は、ループ状肘フレーム４０の上面とそれに対応する内側面とを覆うように断面Ｌ型に形成されており、前カバー体４２は、ループ状肘フレーム４０の前面とそれに対応する内側面を覆うように断面Ｌ型に形成されている。上カバー体４１及び前カバー体４２はそれぞれ合成樹脂製であり、ループ状肘フレーム４０に対して着脱可能に取付けられる。
【００３５】
ループ状肘フレーム４０の下部には内向きに突出する連結筒部４５が設けられる。背支持フレーム１５のアーム部１５ａの外側面に設けられた三角状穴を有する連結基部４４に継ぎ足す同じく三角状の補足部４６を介して連結筒部４５が嵌合し、補足部４６に連結筒部４５が嵌合した状態で両者をネジ止めすることで、背支持フレーム１５の左右両側に肘１４が立設される（図４、図５、図８参照）。なお、連結基部４４または連結筒部４５に補足軸部４６が一体的に形成されても良いし、筒部と軸部の関係が図示の実施形態と逆であっても良い。
【００３６】
補強部材２１の左右両側の端部２１ｂは、補強部材２１が背板１２に取付けられた状態では、当該背板１２の左右両側の翼部３４の先端部まで伸びるように形成されて翼部３４の背面に沿う。そして、上記立設された肘１４における上カバー体４１を取り外した状態のループ状肘フレーム４０の内側面に補強部材２１の端部２１ｂを当接させる。次いで、翼部３４の先端部などに設けられたネジ取付け穴３６及び補強部材２１の端部２１ｂの貫通穴３７を介してねじを挿通させ、そのねじをループ状肘フレーム４０の雌ねじ部４３に締着することで、ループ状肘フレーム４０と補強部材２１の端部２１ｂと背板１２の翼部３４の先端部との三者を共締めする。これらの取付けにより、肘１４が背もたれ２に対して下部と後部とに固定されるので、下部だけの連結よりも肘１４は一層強固に連結固定されることになる。また、図４、図５及び図６に示すように、腰アウター部材１１の左右両側の凹湾曲した端面に上下複数箇所の係合凹所３８が形成され、ループ状肘フレーム４０の後部湾曲縦辺の外面に上下複数箇所の係合突起３９が設けられている。腰アウター部材１１の左右両側の凹湾曲した端面にループ状肘フレーム４０の後部湾曲縦辺の外面を当接させると、各係合凹所３８と係合突起３９とが互いに嵌まり係合して位置ずれしない。なお、係合突起が腰部アウター部材１１に、係合凹所３８がループ状肘フレーム４０に各々設けられていても良い。
【００３７】
翼部３４と補強部材２１の端部２１ｂ及びネジ止め部は、ループ状肘フレーム４０に装着した上カバー体４１の後部内側面にて隠される（図３、図８参照）。したがって、外観上、背もたれ２とループ状の肘１４との一体感がより一層向上する。
【００３８】
なお、ロッキング椅子でない場合には、ベース７または座受体の外側面に三角状穴を有する連結基部４４を設ければ良い。
【００３９】
第１実施形態では、翼部３４は背板１２に一体的に形成されていた。第２実施形態（図９（Ａ），図９（Ｂ）参照）では、背板１２は縦長の本体部１２ａの左右両側に別体で形成された翼部３４を連結したものである。したがって、請求項にいう背板とは、本体部１２ａと翼部３４とを含む概念である。なお、図９（Ａ），図９（Ｂ）では本体部１２ａが半割り状態で示されている。
【００４０】
より詳細に説明すると、翼部３４の傾斜状内則面３４ａが、本体部１２ａの側面下部の傾斜面１２ｂとがぴったり合わさる。そして、傾斜状内則面３４ａに突出する複数の突起３４ｂが傾斜面１２ｂの対応する箇所に形成されている凹係合部１２ｃに嵌まり係合する。翼部３４の先端部には、第１実施形態と同様に、ネジ取付け穴３６が設けられている。第２実施形態の本体部１２ａの背面には、補強部材２１が嵌まる凹所２２ａが形成されており、腰部アウター部材１１における凹所２２と共に補強部材２１を取り囲む。
【００４１】
第２実施形態では、腰部アウター部材１１の凹所２２に補強部材２１を固定し、次いで左右の翼部３４を補強部材２１の前面の左右両側端部にネジ止めする。その後、左右の翼部３４の間に縦長の本体部１２ａを上方から落としこむと、翼部３４の傾斜状内則面３４ａと、本体部１２ａの傾斜面１２ｂとがぴったり合わさると共に、各突起３４ｂと凹係合部１２ｃどうしが嵌合する。この状態で、本体部１２ａの前面からネジ取付け穴２５を介して補強部材２１にねじ止めすることで、背もたれ２の組立ができる。
【００４２】
［表装体の装着構成］
上記腰部アウター部材１１と背板１２とが連結された状態で、少なくとも背板１２の前面全体にわたって、ラバーフォーム等のクッション体（不図示）を張設する。しかる後、合成皮革製、天然皮革製、布製等からなる袋状の表装体１３にて、クッション体の前面と腰部アウター部材１１及び背板１２の背面部を一体的に覆う（図１、図２、図３、図７、図８の二点鎖線参照）。その場合、本実施形態では背もたれ２の背面側の左右方向中央に縦方向に長い分離縁を設け、この上下に長い分離縁部にファスナを設けて、袋状の表装体１３の下端から開くことができるようにして、表装体１３の装着及び取り外し作業が容易になるようにしている。
【００４３】
また、表装体１３の背面側の下端部は、例えば図２に示すように、腰部アウター部材１１を覆った後、当該腰部アウター部材１１の左右両側縁に沿う湾曲線部１３ａと、背板１２の翼部３４とループ状の肘１４の後縁及び上面の隙間に嵌まる線部１３ｂを有する。図７及び図８に示すように、例えば表装体１３の前面側の下端部は、背板１２の翼部３４前面基部とループ状肘フレーム４０の後側内面との隙間に嵌まる線部１３ｃと、クッション体の前面下端を包んだ後に、背板１２の下端に形成された前向き突条部２９と腰部アウター部材１１の段部３０との間に形成される溝３５に沿って嵌め入れられる横線状の線部１３ｄとを有する。各線部１３ａ〜１３ｄでは、表装体１３のしわを延ばした状態で、タッカーなどにより打ち込むステープルで固定しても良いし、接着剤等で貼着しても良い。
【００４４】
［まとめ］
既述のとおり、本願発明は、背もたれ２は腰部アウター部材１１と、該腰部アウター部材１１の前面に重なるように配置された背板１２と、腰アウター部材の前面上部と背板１２の背面下部との重なり部に介挿される補強部材２１とにより構成されている。したがって、特にロッキング椅子に適用しても、背もたれ２の強度を高めることができる。そして、腰部アウター部材１１と背板１２とは補強部材２１とそれぞれ連結固定されるので、連結作業も簡単となる。
【００４５】
請求項２の発明によれば、補強部材２１は椅子の左右方向に延びた帯び状に形成されているものであるから、補強部材２１を板状に形成すれば、従来の、腰部アウター部材及び背板にそれぞれ形成された係合爪どうしの係合に比べて、腰部アウター部材１１と背板１２との連結部分の厚さを薄くできるものでありながら、連結部の強度（背板への後傾方向の抵抗力）を大きくすることができる。
【００４６】
請求項３の発明によれば、座１または背もたれ２の下部には、左右両側にループ状肘フレーム４０が取付けられ、背もたれ２の左右両側端と補強部材２１の左右両端部とが各ループ状肘フレーム４０に固着されているものである。したがって、ループ状肘フレーム４０の取付け箇所が複数箇所となって、取付け強度を高めることができる。
【００４７】
本願の請求項４の発明では、腰部アウター部材１１と背板１２との両背面が実質的に同一面に並び、少なくとも背板１２の前面側にクッション体を有し、クッション体の前面と腰部アウター部材１１及び背板１２の背面部を袋状の表装体１３にて一体的に覆ったものである。従来の背もたれがアウター部材とインナー部材とクッション体のような３枚構成に比べて、部材数を少なくすることができるものでありながら、シャープなデザインの椅子を提供することができる。
【００４８】
本願発明は上記の実施形態の他にも様々に具体化できる。例えば、適用対象は移動自在な回転椅子には限らず、劇場用椅子のような固定式の椅子にも適用できる。ベース等の構成部材は必要に応じて各種の形態を採用できる。
【産業上の利用可能性】
【００４９】
本願発明は椅子に具体化することができる。従って、産業上利用できる。
【符号の説明】
【００５０】
１  座
２  背もたれ
１１  腰部アウター部材
１２  背板
１３  表装体
１４  肘
１５  背支持フレーム
２１  補強部材
４０  ループ状肘フレーム
４１  上カバー体
【図１】
2014097149.tif 000003
【図２】
2014097149.tif 000004
【図３】
2014097149.tif 000005
【図４】
2014097149.tif 000006
【図５】
2014097149.tif 000007
【図６】
2014097149.tif 000008
【図７】
2014097149.tif 000009
【図８】
2014097149.tif 000010
【図９】
2014097149.tif 000011